(57)【要約】本発明は、通信回線に接続されその通信回線を経由してアクセスポイントにアクセスすることにより情報通信を行なう電子機器に関し、割高な設備を必要とせずに、アクセスポイントを適切に設定することを目的とし、行動スケジュールを記録したスケジュールファイルとアクセスポイントと場所の情報との対応関係を記録したアクセスポイントファイルを用意しておき、スケジュールファイルから現在の所在地を知り、その所在地に応じたアクセスポイントを設定する。
2002099656.tif 000002
【特許請求の範囲】
【請求項１】
通信回線に接続され該通信回線を経由してアクセスポイントにアクセスすることにより情報通信を行なう電子機器において、
日時および場所の情報を含むスケジュールを管理するスケジュール管理部と、
場所の情報とアクセスポイントとの対応関係を管理するアクセスポイント管理部と、
前記スケジュールから現在の日時における場所の情報を取得し、前記対応関係から現在の日時における場所の情報に応じたアクセスポイントを取得して、該アクセスポイントに接続する通信接続部とを備えたことを特徴とする電子機器。
【請求項２】
前記アクセスポイント管理部は、地名に代わるインデックスを含む場所の情報とアクセスポイントとの対応関係を管理するものであって、
前記通信接続部は、インデックスを含む場所の情報の、操作に応じた入力を受けつけて、前記対応関係から、入力された場所の情報に応じたアクセスポイントを知り、該アクセスポイントに接続するモードを有するものであることを特徴とする請求項１記載の電子機器。
【請求項３】
前記スケジュールファイル管理部、及び／又は、前記アクセスポイント管理部は、前記スケジュール、及び／又は、前記対応関係を、この電子機器でアクセスされる、この電子機器とは別体の記録媒体に記録して管理するものであることを特徴とする請求項１記載の電子機器。
【請求項４】
日時および場所の情報を含むスケジュールを管理するスケジュール管理部と、場所の情報とアクセスポイントとの対応関係を管理するアクセスポイント管理部とを備えた、通信回線に接続され該通信回線を経由してアクセスポイントにアクセスすることにより情報通信を行なう電子機器内で実行されるプログラムであって、該電子機器を、
現在の日時を取得する日時取得部と、
前記スケジュールから、前記日時取得部で取得した現在の日時における場所の情報を取得する場所取得部と、
前記対応関係から、前記場所取得部で取得された場所の情報に応じたアクセスポイントを取得するアクセスポイント取得部と、
この電子機器に、前記アクセスポイント取得部で取得されたアクセスポイントを設定するアクセスポイント設定部として動作させることを特徴とするアクセスポイント設定プログラム。
【請求項５】
前記アクセスポイント管理部は、地理的住所に代わるインデックスを含む場所の情報とアクセスポイントとの対応関係を管理するものであって、
前記アクセスポイント取得部は、前記対応関係から、前記場所取得部で取得された場所の情報に応じたアクセスポイントを取得する自動モードに加え、操作に応じて入力された場所の情報を取得して、前記対応関係から、入力された場所の情報に応じたアクセスポイントを取得する手動モードを有するものであることを特徴とする請求項４記載のアクセスポイント設定プログラム。
【発明の詳細な説明】
従来分野
本発明は、通信回線に接続されその通信回線を経由してアクセスポイントにアクセスすることにより情報通信を行なう電子機器、電子機器内で実行されることによりその電子機器にアクセスポイントを設定するプログラムに関する。
背景技術
近年、ノート型パーソナルコンピュータ（以下、「ノートパソコン」と略記する）等の電子機器が広く普及してきている。また最近では、ノートパソコンを始めとする電子機器の、モバイル用途としての利用の増大に伴い、あらゆる場所でモデムを利用したネットワーク接続が日常化してきている。
ところが、モデムを利用してネットワークに接続する場合、電話回線への接続料を抑えるためにそれぞれの場所に応じたアクセスポイントを設定する必要がある。
このような状況から、場所と時間を選ばずに常に適切なアクセスポイントを設定できる環境が実現されることが望ましい。
従来、このような環境を実現するために、ＧＰＳ（Ｇｌｏｂａｌ  Ｐｏｓｉｔｉｏｎｉｎｇ  Ｓｙｓｔｅｍ）やＰＨＳ（Ｐｅｒｓｏｎａｌ  Ｈａｎｄｙｐｈｏｎ  Ｓｙｓｔｅｍ）等の位置情報検出機能を利用してそのノートパソコン等の現在の所在を知り、その場所に適切なアクセスポイントを設定することが知られている（例えば特開平１１−１４６０８７号公報参照）。
しかしながらＧＰＳやＰＨＳを利用して位置を検出するシステムを採用すると、例えば出張先であっても有線の電話回線を利用してネットワークに接続するという用途を想定したとき過大な設備を必要とするという問題点がある。
本発明は、上記事情に鑑み、割高な設備を必要とせずに、アクセスポイントを適切に設定することのできる電子機器、電子機器内で実行されることによりその電子機器に適切なアクセスポイントを設定するプログラムを提供することを目的とする。
発明の開示
上記目的を達成する本発明の電子機器は、通信回線に接続され通信回線を経由してアクセスポイントにアクセスすることにより情報通信を行なう電子機器において、
日時および場所の情報を含むスケジュールを管理するスケジュール管理部と、
場所の情報とアクセスポイントとの対応関係を管理するアクセスポイント管理部と、
上記スケジュールから現在の日時における場所の情報を取得し、上記対応関係から現在の日時における場所の情報に応じたアクセスポイントを取得して、そのアクセスポイントに接続する通信接続部とを備えたことを特徴とする。
本発明は、スケジュールから現在位置を割り出してアクセスポイントを設定するものであり、特別な設備を必要とせず、適切なアクセスポイントを設定することができる。
ここで、上記本発明の電子機器において、上記アクセスポイント管理部は、地名に代わるインデックスを含む場所の情報とアクセスポイントとの対応関係を管理するものであって、
通信接続部は、インデックスを含む場所の情報の、操作に応じた入力を受けつけて、アクセスポイントファイルから、入力された場所の情報に応じたアクセスポイントを知り、そのアクセスポイントに接続するモードを有するものであることが好ましい。
アクセスポイントの設定先をスケジュールのみに委ねると、スケジュールにない、あるいはスケジュールとは異なる行動をとったときに設定を誤ったり、正しく設定されないおそれがある。
そこで、操作により場所の情報を入力してその入力された場所の情報に応じたアクセスポイントを設定する手動モードを有することが好ましく、その場合に、現在地の正式な地名（住所を含む）を入力するのではなく、例えば○○ホテル、△△駅など、自分が今居る場所、あるいは自分が今居る場所の近くにある施設の名称等のインデックスを入力することで正しいアクセスポイントが設定されることが好ましい。上記のように、インデックスを含む場所の情報とアクセスポイントとの対応関係を管理しておくことにより、使いやすい手動モードが実現する。
また、上記本発明の電子機器において、スケジュールファイル管理部、及び／又は、アクセスポイント管理部は、上記スケジュール、及び／又は、上記対応関係を、この電子機器でアクセスされる、この電子機器とは別体の記録媒体に記録して管理するものであることが好ましい。
このように、スケジュールあるいは対応関係を別体の記録媒体、例えばスマートカードやＰＣカード等に入れておいて電子機器を本体とは分けて保管しておくことにより、盗難時などにおける不正な通信を防止することができ、セキュリティが保たれる。
また、上記目的を達成する本発明のアクセスポイント設定プログラムは、日時および場所の情報を含むスケジュールを管理するスケジュール管理部と、場所の情報とアクセスポイントとの対応関係を管理するアクセスポイント管理部とを備えた、通信回線に接続されその通信回線を経由してアクセスポイントにアクセスすることにより情報通信を行なう電子機器内で実行されることにより、その電子機器にアクセスポイントを設定するアクセスポイント設定プログラムであって、その電子機器を、
現在の日時を取得する日時取得部と、
上記スケジュールから、日時取得部で取得した現在の日時における場所の情報を取得する場所取得部と、
上記対応関係から、場所取得部で取得された場所の情報に応じたアクセスポイントを取得するアクセスポイント取得部と、
この電子機器に、アクセスポイント取得部で取得されたアクセスポイントを設定するアクセスポイント設定部として動作させることを特徴とする。
ここで、上記本発明のアクセスポイント設定プログラムにおいて、アクセスポイント管理部は、地名に代わるインデックスを含む場所の情報とアクセスポイントとの対応関係を管理するものであって、
アクセスポイント取得部は、上記対応関係から、場所取得部で取得された場所の情報に応じたアクセスポイントを取得する自動モードに加え、操作に応じて入力された場所の情報を取得して、上記対応関係から、入力された場所の情報に応じたアクセスポイントを取得する手動モードを有するものであることが好ましい。
発明を実施するための最良の形態
以下、本発明の実施形態について説明する。ここでは、本発明にいう電子機器の一例として携帯型ノートパソコンについて説明する。
図１は、本発明の電子機器の一実施形態として動作するノートパソコンの外観斜視図である。
このノートパソコン１０は、本体１１と、表示パネル１２とからなり、表示パネル１２は、ヒンジ（図示せず）で本体１１に開閉自在に取り付けられている。
本体１１には、ＣＰＵや磁気ディスク等が内蔵され、その上部にはキーボード１１１やトラックパッド１１２などが配備されている。また、その本体１１の側面には、ＣＤ−ＲＯＭが装填されるＣＤ−ＲＯＭ装填口１１３およびフレキシブルディスク（ＦＤ）が装填されるＦＤ装填口１１４が設けられている。さらに、その本体の前端面にはスマートカードが装填されるスマートカード装填口１１５が設けられている。
また、表示パネル１２には、図１に示すように開いた状態における前面に液晶表示画面１２１が配備されている。
図２は、図１に外観を示すノートパソコンの内部構成図である。
ここには、ＣＰＵ２０１、メモリ２０２、表示部２０３、キーボード部２０４、トラックパッド部２０５、磁気ディスク部２０６、ＣＤ−ＲＯＭドライブ２０７、ＦＤドライブ２０８、スマートカードドライブ２０９、および通信制御部２１０が備えられており、それらはバス２００で相互に接続されている。
磁気ディスク部２０６は、磁気ディスクおよびその磁気ディスクを駆動する磁気ディスクドライブ等から構成されている。磁気ディスクには様々なプログラムがインストールされており、この磁気ディスク部２０６は、そのプログラムを読み出したり、新たなプログラムやデータを磁気ディスクに書き込んで保存する役割りを担っている。
また、メモリ２０２には、磁気ディスク部２０６から読み出されたプログラムが展開され、そのメモリ２０２上に展開されたプログラムがＣＰＵ２０１で実行される。
表示部２０３は、図１に示す、表示パネル１２上の液晶表示画面１２１を備え、その液晶表示画面１２１上に各種画像を表示する役割りを担っている。
キーボード部２０４は、図１に示すキーボード１１１を備え、このノートパソコンのユーザーによるキーボード操作をＣＰＵ２０１に伝達する。
トラックパッド部２０５は、図１に示すトラックパッド１１２を備え、ユーザーによるトラックパッド１１２の操作をＣＰＵ２０１に伝達する。
ＣＤ−ＲＯＭドライブ２０７は、図１に示すＣＤ−ＲＯＭ装填口１１３から装填されたＣＤ−ＲＯＭ３０１をアクセスしてそのＣＤ−ＲＯＭに記憶されているプログラムやデータ等をこのノートパソコン１０内にアップロードするものである。
また、ＦＤドライブ２０８は、図１に示すＦＤディスク装填口１１４から装填されたフレキシブルディスク（ＦＤ）３０２をアクセスするものであり、ＦＤ３０２に記憶されているデータ等をこのノートパソコン１０に取り込み、あるいは、このノートパソコンからそのＦＤ３０２にデータ等を書き込むためのものである。上記ＣＤ−ＲＯＭ３０１ではなく、ＦＤ３０２に記録されているプログラムをノートパソコン１０内にアップロードするようにしてもよい。
また、スマートカードドライブ２０９は、図１に示すスマートカード装填口１１５から装填されたスマートカード３０３をアクセスするものであり、このスマートカード３０３内には、後述するように、スケジュールファイルおよびアクセスポイントファイルが格納される。
さらに、通信部２１０は、モデム２１１を備えており、通信回線４０１を介してインターネット等に接続される。
なお、本発明が適用されたプログラムは、上記のようにＣＤ−ＲＯＭやＦＤなど可搬型記録媒体に記録され、それを読み出してノートパソコン１０内にアップロードするようにしてもよいし、予めノートパソコン１０内の磁気ディスクに記録しておいてもよい。また、通信回線４０１を利用して、他の装置に保存されている、本発明が適用されたプログラムを取得するようにしてもよい。
図３は、図１、図２に示すノートパソコン１０とそのノートパソコン１０内で動作するプログラムとにより構成された、本発明の一実施形態としての電子機器の、アクセスポイント設定機能部分の機能ブロック図である。
この図３に示す電子機器５００には、スケジュール／アクセスポイント入力部５０１、スケジュール管理部５０２、アクセスポイント管理部５０３、時計管理部５０４および通信接続部５０５が備えられている。
また、図２に示すスマートカード３０３により構成される、電子機器５００とは別体の記録媒体５１０には、スケジュールファイル５１１とアクセスポイントファイル５１２が構成されている。
スケジュール／アクセスポイント入力部５０１は、ハードウェア上はキーボードやマウス等がこれに相当し、スケジュールやアクセスポイントに関する入力や変更を受けつけて、スケジュールに関してはスケジュール管理部５０２に渡し、アクセスポイントに関してはアクセスポイント管理部５０３に渡す役割りを担っている。
スケジュール管理部５０２は、スケジュール／アクセスポイント入力部５０１から受け渡されたスケジュールに関するデータに矛盾がないかどうかチェックしてそのデータをスケジュールファイル５１１に書き込んだり必要に応じてスケジュールファイルからスケジュールを読み出したりなど、そのスケジュールファイル５１１を管理する役割りを担っている。
スケジュールファイル５１１には、日時と場所の情報を含むスケジュールが記録される。
また、アクセスポイント管理部５０３は、スケジュール／アクセスポイント入力部５０１から受け渡されたアクセスポイントに関するデータをチェックしてスケジュールファイルに書き込んだり、必要に応じてスケジュールファイルからスケジュールを読み出したりなど、アクセスポイントファイル５１２を管理する役割りを担っている。
アクセスポイントファイル５１２には、場所の情報とアクセスポイントとの対応関係が書き込まれている。
また、時計管理部５０４は、現在の日時を管理するものである。
さらに、通信接続部５０５は、時計管理部５０４から現在の日時を取得し、スケジュール管理部５０２から、スケジュールファイル５１１に記録されているスケジュールデータの中から現在の日時における場所の情報を取得し、アクセスポイント管理部５０３から、アクセスポイントファイル５１２に記録されているアクセスポイントのうちの現在の日時における場所の情報に応じたアクセスポイントを取得して、その取得したアクセスポイントに接続する役割りを担っている。
ここで、スケジュール／アクセスポイント入力部５０１は、この電子機器５００の操作者の操作による現在地に関する情報の入力を受け付けて通信接続部５０５に通知する手動モードを有するものであり、そのときは、通信接続部５０５は、アクセスポイントファイル５１２に記録されている、入力された現在地に応じたアクセスポイントをアクセスポイント管理部５０３から受けとってそのアクセスポイントに接続する。
ここで、アクセスポイントファイルには、正しい地名のみでなく、例えばホテル名や施設の名称など、場所を特定することのできるインデックスも場所の情報として書き込んでおくことができる。
したがって、この電子機器５００は、そのインデックスを入力することでそのインデックスに対応するアクセスポイントに接続される。
図４は、本発明のアクセスポイント設定プログラムの一実施形態および本発明のアクセスポイント設定プログラム記録媒体の一実施形態を示す模式図である。
ここでは、このアクセスポイント設定プログラム６００はＣＤ−ＲＯＭ３０１に記憶されており、このＣＤ−ＲＯＭ３０１がＣＤ−ＲＯＭ装填口１１３（図１参照）からノートパソコン１０に装填されてＣＤ−ＲＯＭドライブ２０７（図２参照）によりアクセスされ、そのＣＤ−ＲＯＭ３０１に記憶されているアクセスポイント設定プログラム６００がノートパソコン１０にインストールされる。このノートパソコンにインストールされたアクセスポイント設定プログラム６１０が実行されることにより、図３に示す電子機器５００の通信接続部５０５が構成される。
このアクセスポイント設定プログラム６００は、日時取得部６０１、場所取得部６０２、アクセスポイント取得部６０３、およびアクセスポイント設定部６０４の各プログラム部品で構成されている。
尚、この図４に示すアクセスポイント設定プログラム６００は、図３に示す電子機器５００の通信制御部５０５を構成するアプリケーションプログラムであり、図３の電子機器５００の他の構成要素、すなわち、スケジュール／アクセスポイント入力部５０１、スケジュール管理部５０２、アクセスポイント管理部５０３、および時計管理部５０４に対応するプログラムは含まれていない。これは、スケジュールの管理に関してはスケジュール管理ソフト、アクセスポイントの管理に関しては表管理ソフトとして市販されているものを採用し、時計の管理に関しては、図１に示すノートパソコンに備わっている時計管理機能を採用することができ、このアクセスポイント設定プログラム６００はそれらのソフトや時計管理機能と連携をとればよく、アクセスポイント設定プログラム中にそれらの要素が含まれている必要はないからである。ただし、このアクセスポイント設定プログラム６００は、図４に示したプログラム部品６０１〜６０４に加え、さらにアクセスポイント管理用のソフトウェアやスケジュール管理用のソフトウェア等を含むものであってもよい。
図４に示すアクセスポイント設定プログラム６００を構成する日時取得部６０１は、図３に示す電子機器５００の時計管理部５０４から現在の日時を取得する役割りを持つ。
また、場所取得部６０２は、スケジュール管理部５０２に依頼して、スケジュールファイル５１１に記録されているスケジュールデータの中から、日時取得部６０１で取得した現在の日時における場所の情報を取得する。
また、アクセスポイント取得部６０３は、アクセスポイント管理部５０３に依頼して、アクセスポイントファイル５１２から、場所取得部６０２で取得された場所の情報に応じたアクセスポイントを取得する。
さらに、このアクセスポイント取得部６０３は、アクセスポイントファイル５１２から、場所取得部６０２で取得された場所の情報に応じたアクセスポイントを取得する自動モードに加え、操作に応じて入力された場所の情報を取得して、アクセスポイントファイルから、入力された場所の情報に応じたアクセスポイントを取得する手動モードを有する。
さらに、アクセスポイント設定部６０４は、アクセスポイント取得部６０３で取得されたアクセスポイントを、このアクセスポイント設定プログラム６００が動作している電子機器５００（ここでは、図１，図２に示すノートパソコン１０）の通信接続部５０５（図３）を構成する、図２に示す通信制御部２１０に設定する。すると、この通信制御部２１０は、モデム２１１を使って、その設定されたアクセスポイントに接続する。
図５は、スケジュールファイルに記録されているスケジュールの一例を示す図である。
この例に示すように、このスケジュールには、日付および時間と、場所が含まれており、さらに備考欄に自由にコメントやメモを記入するようになっている。
図６は、アクセスポイントファイルに記録されているアクセスポイントテーブルの一例を示す図である。このアクセスポイントテーブルは、場所の情報（アクセスポイント名）とアクセスポイント（市外局および電話番号）が記録されており、さらに、そのアクセスポイントの平均的な混み具合いを表わすビジー率が、平均的に空いているものから順に、○、△、×の記号で表わされている。
場所の情報（アクセスポイント名）の欄には、東京、横浜といった地名のみでなく、○○ホテル、△△駅、会社等、インデックスを記録することもできる。このとき、このインデックスは、この電子機器（ノートパソコン）の操作者にとって場所の情報であればよく、客観的な意味で場所が特定されるものである必要はない。
図７は、図１に示すノートパソコン１０の液晶表示画面１２１に表示されるアイコン一覧画面を示す図である。
ここでは、この実施形態の特徴部分の説明に要するアイコンのみ示してある。
図８は、アクセスポイント更新画面を示す図、図９は、アクセスポイント更新プログラムのフローチャートである。このアクセスポイント更新プログラムは、図４に示すアクセスポイント設定プログラム６００を構成するものではないが、図３の電子機器５００の、スケジュール／アクセスポイント入力部５０１におけるアクセスポイントの入力およびアクセスポイント管理部５０３の動作として必要なものである。
図１に示すトラックパッドを操作して図７に示すアイコン一覧画面上で「アクセスポイント」のアイコンをクリックすると、液晶表示画面１２１上に図８に示すアクセスポイント更新画面が表示され、ノートパソコン１０のＣＰＵ２０１では図９に示すアクセスポイント更新プログラムが実行される。
図８のアクセスポイント更新画面上では、ナンバ（Ｎｏ．）と場所（インデックス）とアクセスポイントの電話番号（市外局番を含む）とビジィ率が入力される。ビジィ率は、ここでは、「普通」（図６の△に対応）、「混雑」（図６の×に対応）、「空き」（図６の○に対応）の中から選択される。
ナンバ（Ｎｏ．）は既に登録されているアクセスポイントを変更あるいは消去するときに入力される。
「一覧」をクリックすると、図６に示すようなアクセスポイント一覧が液晶表示画面上に表示される。
「入力」をクリックすると、この図８の画面上に記入した内容がアクセスポイント一覧に反映される。
「終了」をクリックすると、このアクセスポイント更新画面が閉じられる。
図９のアクセスポイント更新プログラムでは、図８の「一覧」、「終了］、「入力」のいずれかがクリックされるのをモニタし（ステップａ１〜ａ３）、「一覧」がクリックされると、図８に示す画面とは別に図６に示すようなアクセスポイント一覧が液晶表示画面１２１（図１参照）上に表示される。したがって操作者は、そのアクセスポイント一覧を確認しながらアクセスポイントの更新や追加を行なうことができる。
「終了」がクリックされると（ステップａ２）、図８の画面およびアクセスポイント一覧画面が閉じられる（ステップａ５）。
また、「入力」がクリックされると、その「入力」のクリックに先立って図８の画面上に記入された、Ｎｏ．場所（インデックス）、アクセスポイント、ビジー率がこのプログラム内に入力され（ステップａ６〜ａ９）、アクセスポイント一覧に反映される（ステップａ１０）。ここで、アクセスポイント一覧への反映にあたっては、既に登録されているアクセスポイントのナンバ（Ｎｏ．）が入力され、かつ場所やアクセスポイント等が入力されたときは、そのナンバ（Ｎｏ．）のアクセスポイントが上書きされ、ナンバ（Ｎｏ．）のみ入力されて場所やアクセスポイント等が入力されなかったときはそのナンバ（Ｎｏ．）のアクセスポイントが消去され、ナンバ（Ｎｏ．）を入力せずに、あるいは空欄のナンバを入力して、さらに場所やアクセスポイント等が入力されたときはそのアクセスポイントがアクセスポイント一覧に追加される。
図１０は、スケジュール更新画面を示す図、図１１は、スケジュール更新プログラムのフローチャートである。このスケジュール更新プログラムも、図９に示すアクセスポイント更新プログラムと同様、図４に示すアクセスポイント設定プログラム６００を構成するものではないが、図３の電子機器５００の、スケジュール／アクセスポイント入力部５０１におけるスケジュールの入力およびスケジュール管理部５０２の動作として必要なものである。
図１に示すトラックパッドを操作して図７に示すアイコン一覧画面上で「スケジュール」のアイコンをクリックすると、液晶表示画面１２１上に図１０に示すスケジュール更新画面が表示され、ノートパソコン１０のＣＰＵ２０１では、図１１に示すスケジュール更新プログラムが実行される。
図１０のスケジュール更新画面上では、日時（年月日  時分〜時分）と場所（インデックス）が記入され、さらに必要に応じて備考欄にコメントやメモが記入される。
「一覧」をクリックすると、図５に示すようなスケジュール一覧が液晶表示画面上に表示される。
「入力」をクリックすると、この図１０の画面上に記入した内容がスケジュール一覧に反映される。
「終了」をクリックすると、このスケジュール更新画面、およびスケジュール一覧が表示されていたときはその画面が閉じられる。
図１１のスケジュール更新プログラムでは、図１１の「一覧」、「終了」、「入力」のいずれかがクリックされるのをモニタし（ステップｂ１〜ｂ３）、「一覧」がクリックされると、図８に示す画面とは別に図５に示すようなスケジュール一覧が液晶表示画面１２１（図１参照）上に表示される。したがって操作者はそのスケジュール一覧を確認しながらスケジュールの変更や追加を行なうことができる。
「終了」がクリックされると（ステップｂ２）、図１０の画面およびスケジュール一覧画面が閉じられる（ステップｂ５）。
また、「入力」がクリックされると、その「入力」のクリックに先立って図１０の画面上に記入された日時、場所（インデックス）、備考がこのプログラム内に入力され（ステップｂ６〜ｂ９）、スケジュール一覧に反映される（ステップｂ９）。ここで、スケジュール一覧への反映にあたっては、既に登録されているスケジュールの日時と重なる日時が入力され、かつ場所等が入力されたときは、その日時のスケジュールが変更され、重なった日時のみ入力されて場所等が入力されなかったときはその日時のスケジュールが消去され、スケジュール一覧に記入のない日時が入力され、さらに場所等が入力されたときはその日時のスケジュールがスケジュール一覧に追加される。
図１２は、アクセスポイントの自動設定／手動設定の選択画面を示す図、図１３は、アクセスポイントを手動で設定する場合の、アクセスポイント設定画面を示す図、図１４は、アクセスポイントを設定するアクセスポイント設定プログラムのフローチャートである。
外出先で、あるいは会社あるいは自宅等でこの電子機器（ノートパソコン）電話回線用のジャックを電話回線のターミナルに差し込んだ後、図７に示すアイコン一覧画面上で「通信接続」のアイコンをクリックすると、図１２に示すアクセスポイントの自動設定／手動設定の選択画面が表示される。この画面上で、「自動」を選択して「実行」ボタンをクリックするとアクセスポイントの自動設定が行なわれ、その「自動」に代わり「手動」を選択して「実行」ボタンをクリックすると、図１３に示すアクセスポイント手動設定画面が表示される。
図１３のアクセスポイント手動設定画面上には、場所（インデックス）、あるいはアクセスポイントの何れかが記入される。「一覧」は、図６に示すようなアクセスポイント一覧を表示するボタン、「入力」は、図３のアクセスポイント手動設定画面上に記入した場所あるいはアクセスポイントを図１４のアクセスポイント設定プログラム内に取り込むためのボタン、「キャンセル」は手動設定を中止するためのボタンである。
図１２に示す自動設定／手動設定の選択画面で「自動」が設定されると、先ず時計管理部５０４から現在の日時の情報が取得される（図１４ステップｃ１）。したがってこのステップｃ１は、図４に示すアクセスポイント設定プログラム６００の日時取得部６０１に相当する。
次いで、図１４のアクセスポイント設定プログラムでは、スケジュールファイルのチェックが行なわれ（ステップｃ２）、そのスケジュールファイル中にステップｃ１で取得した日時に適合する日時のスケジュールが存在するか否かが判定される（ステップｃ３）。
適合する日時のスケジュールが存在しないときは、ステップｃ８に進み、このステップｃ８では図１３に示すアクセスポイント移動設定画面が表示され、手動設定のモードに移行する。
ステップｃ３で、適合する日時のスケジュールが存在している旨判定されたときは、ステップｃ４に進み、その日時のスケジュールから場所の情報が取得される。したがって、ステップｃ２〜ｃ４は、図４に示すアクセスポイント設定プログラム６００の場所取得部６０２に相当する。
図１４のアクセスポイント設定プログラムでは、次にアクセスポイントファイルが参照されて、取得した場所情報と同じ場所に対応するアクセスポイントが検索される（ステップｃ５）。そのアクセスポイントファイル中にステップｃ４で取得した場所情報と同じ場所のアクセスポイントが記録されていたときは、そのアクセスポイントが、接続すべきアクセスポイントとして、図３の通信接続部５０５を構成する図１の通信制御部２１０に設定され（ステップｃ７）、通信制御部２１０は、そこに備えられたモデム２１１を使ってそのアクセスポイントに接続する。
ステップｃ６において、アクセスポイントファイルに、ステップｃ４で取得した場所情報と同じ場所のアクセスポイントが見つからなかったときは、ステップｃ８に進み、ステップｃ３で適合する日時が見つからなかったときと同様、図１３に示すアクセスポイント手動設定画面が表示される。
図１２のアクセスポイント自動設定／手動設定選択画面で手動設定が設定されたとき、あるいは、図１４のステップｃ３で適合する日時が存在しない、あるいはステップｃ６で適合するアクセスポイントが存在しないと判定されたときは図１３に示す手動設定画面が表示され、その手動設定画面上で「場所」あるいは「アクセスポイント」が入力される。
ここで図１３に示す手動設定画面上で「一覧」がクリックされると（ステップｃ９）、図６に示すようなアクセスポイント一覧が表示される。図１２の画面上で「手動」を設定しアクセスポイント一覧を表示させて、その一覧を参照しながら図１３の画面上に場所あるいはアクセスポイントを記入してもよい。
ステップｃ１１では、「キャンセル」がクリックされたか否かが判定され、「キャンセル」がクリックされたときは、図１３の画面、およびアクセスポイント一覧画面が開いていたときはそのアクセスポイント一覧画面が閉じられて（ステップｃ１２）、このルーチンが終了する。
また、図１３の画面上で「入力」がクリックされると（ステップｃ１３）、図１３の「場所」の記入欄、および「アクセスポイント」の記入欄がこのプログラム内に入力され（ステップｃ１４）、図１３の画面、およびアクセスポイント一覧の画面が開いていたときはそのアクセスポイント画面が閉じられた後（ステップｃ１５）、入力されたデータが場所の情報であるかアクセスポイントであるかが判定される（ステップｃ１６）。図１３の「場所」の記入欄と「アクセスポイント」の記入欄の双方に記入されていたときは、アクセスポイントの方が優先される。
場所が記入されていたときはステップｃ１５に進み、上述のようにして、その入力された場所情報に対応するアクセスポイントの検索が行なわれる。一方、図１３の画面上でアクセスポイントが記入されていたときは、直接にステップＣ７に進んでその入力されたアクセスポイントが設定される。
このように、本実施形態によれば、電子機器（ノートパソコン）内にスケジュールを記録しておくことでアクセスポイントが自動的に設定され、また手動設定も可能となっている。
以上説明したように、本発明によれば、ＧＰＳやＰＨＳといった割高の設備を必要とせず、適切なアクセスポイントに接続することができる。
【図面の簡単な説明】
図１は、本発明の電子機器の一実施形態として動作するノートパソコンの外観斜視図である。
図２は、図１に外観を示すノートパソコンの内部構成図である。
図３は、本発明の一実施形態としての電子機器の、アクセスポイント設定機能部分の機能ブロック図である。
図４は、本発明のアクセスポイント設定プログラムの一実施形態および本発明のアクセスポイント設定プログラム記録媒体の一実施形態を示す模式図である。
図５は、スケジュールファイルに記録されているスケジュールの一例を示す図である。
図６は、アクセスポイントファイルに記録されているアクセスポイントテーブルの一例を示す図である。
図７は、図１に示すノートパソコン１０の液晶表示画面１２１に表示されるアイコン一覧画面を示す図である。
図８は、アクセスポイント更新画面を示す図である。
図９は、アクセスポイント更新プログラムのフローチャートである。
図１０は、スケジュール更新画面を示す図である。
図１１は、スケジュール更新プログラムのフローチャートである。
図１２は、アクセスポイントの自動設定／手動設定の選択画面を示す図である。
図１３は、アクセスポイントを手動で設定する場合の、アクセスポイント設定画面を示す図である。
図１４は、アクセスポイントを設定するアクセスポイント設定プログラムのフローチャートである。
【図１】
2002099656.tif 000003
【図２】
2002099656.tif 000004
【図３】
2002099656.tif 000005
【図４】
2002099656.tif 000006
【図５】
2002099656.tif 000007
【図６】
2002099656.tif 000008
【図７】
2002099656.tif 000009
【図８】
2002099656.tif 000010
【図９】
2002099656.tif 000011
【図１０】
2002099656.tif 000012
【図１１】
2002099656.tif 000013
【図１２】
2002099656.tif 000014
【図１３】
2002099656.tif 000015
【図１４】
2002099656.tif 000016
【国際調査報告】
2002099656.tif 000017
2002099656.tif 000018